Podtech/llm-jp-corpus-v4-ja_patent huggingface dataset:
(57)【要約】【課題】地震による大きな振動が発生した場合でも、この振動を効果的に吸収し、仏壇を好ましく保護し得るようにした仏壇用免震装置を提供する。【解決手段】下側板（３）と該下側板上に載置した上側板（５）とを備え、下側板には多数の球状体（７）を該球状体が該下側板の上面より上方に突出した状態で回転自在且つ移動不能に備えさせると共に、該下側板には柱体（１３）を上方に突設し、上側板には下側板の柱体の全周囲に空間を有するようにスペース（１５）を備えさせ、上側板における該スペースの端部と該柱体との間に複数のばね（１９）を取り付け、下側板の下面と上側板の上面とにそれぞれ滑り止め手段（２５）（２７）を備えさせ、上側板上に仏壇（１）を載置したことを特徴とする仏壇用免震装置。【選択図】図１
0003104636.tif 000002
【実用新案登録請求の範囲】
【請求項１】
下側板と該下側板上に載置した上側板とを備え、
下側板には多数の球状体を該球状体が該下側板の上面より上方に突出した状態で回転自在且つ移動不能に備えさせると共に、該下側板には柱体を上方に突設し、
上側板には下側板の柱体の全周囲に空間を有するようにスペースを備えさせ、上側板における該スペースの端部と該柱体との間に複数のばねを取り付け、
下側板の下面と上側板の上面とにそれぞれ滑り止め手段を備えさせ、
上側板上に仏壇を載置したことを特徴とする仏壇用免震装置。
【考案の詳細な説明】
【技術分野】
【０００１】
本考案は、仏壇用免震装置に関するものである。
【背景技術】
【０００２】
地震により、仏壇が大きく揺れ動き、或いは転倒した場合には、仏壇本体や仏壇内に収納されている位牌、仏像等が損傷するだけでなく、仏壇内に燃焼中のロウソクないし線香があるときには火災が発生するおそれもある。
【０００３】
このような地震による危険を防止するために、仏壇についても免震手段を施すことが望まれる。
【０００４】
特開２００１−３７６１８号公報は、仏壇用免震ユニットを開示している。この仏壇用免震ユニットは、上下二枚のプレート間に防震ゴムを挟みこんでなるものであり、このユニット上に仏壇を載置するようにしている。
【特許文献１】特開２００１−３７６１８号公報
【考案の開示】
【考案が解決しようとする課題】
【０００５】
しかるに、上記従来の仏壇用免震ユニットにおいては、上下二枚のプレート間の防震ゴムでは地震による大きな振動を必ずしも十分には吸収し得ないという問題が残る。換言すれば、地震による大きな振動が発生した場合には、仏壇が大きく揺れ動くおそれがある。
【０００６】
このような状況に鑑み、本考案は、地震による大きな振動が発生した場合でも、この振動を効果的に吸収し、仏壇を好ましく保護し得るようにした仏壇用免震装置を提供しようとしてなされたものである。
【課題を解決するための手段】
【０００７】
上記課題を解決するために、本考案は、下記の仏壇用免震装置を提供するものである。
【０００８】
下側板と該下側板上に載置した上側板とを備え、
下側板には多数の球状体を該球状体が該下側板の上面より上方に突出した状態で回転自在且つ移動不能に備えさせると共に、該下側板には柱体を上方に突設し、
上側板には下側板の柱体の全周囲に空間を有するようにスペースを備えさせ、上側板における該スペースの端部と該柱体との間に複数のばねを取り付け、
下側板の下面と上側板の上面とにそれぞれ滑り止め手段を備えさせ、
上側板上に仏壇を載置したことを特徴とする仏壇用免震装置。
【０００９】
［考案の作用］
仏壇を載置した上側板は、下側板に突出状態で回転自在且つ移動不能に備えさせた多数の球状体上に載置されているため、上側板と下側板とは相対的に水平方向に移動自在である。
【００１０】
下側板の下面に備えさせた滑り止め手段は、下側板が床面に対し水平方向に滑ることを防止する。
【００１１】
上側板の上面に備えさせた滑り止め手段は、仏壇と上側板との間の滑りを防止する。
【００１２】
仏壇を載置した上側板におけるスペースの端部と柱体との間に取り付けられた複数のばねは、下側板が上側板に対し水平方向に動いたときには、下側板の動きをそのまま上側板に伝えることなく、下側板の動きを吸収する。
【００１３】
従って、地震発生時に、下側板が上側板に対して水平方向に振動したときには、その振動は吸収され、仏壇を載置した上側板の動きは最小化される。即ち、地震による仏壇の振動は最小化される。
【考案の効果】
【００１４】
上述の如く、本考案によれば、地震による仏壇の振動は最小化されるため、地震による
仏壇本体や仏壇内に収納されている位牌、仏像等の損傷が防止されるだけでなく、地震発生時に仏壇内に燃焼中のロウソクないし線香があるときでも火災の発生が防止される。
【考案を実施するための最良の形態】
【００１５】
符号１に示すものは仏壇である。仏壇１は、その種類、形状、大きさ、材料等の如何を問わない。
【００１６】
仏壇用免震装置は、下側板３と該下側板３上に載置した上側板５とを備える。
【００１７】
下側板３には多数の球状体７を該球状体７が該下側板３の上面３ａより上方に突出した状態で回転自在且つ移動不能に備えさせる。即ち、一例として、下側板３に多数の受け穴９を形成し、各受け穴９に受け具１１を嵌着し、各受け具１１に球状体７を回転自在に嵌め付ける。
【００１８】
下側板３の中央部には柱体１３を上方に突設する。
【００１９】
上側板５には下側板３の柱体１３の全周囲に空間を有するようにスペース１５を備えさせる。図１においては、スペース１５に蓋体１７を着脱自在に備えさせている。
【００２０】
上側板５におけるスペース１５の端部と柱体１３との間に複数のばね１９を放射状に取り付ける。図示の事例においては、柱体１３に筒状体２１を外設し、該筒状体２１に各ばね１９の一端１９ａを取り付け、スペース１５の端部における支持体２３に各ばね１９の他端１９ｂを取り付けている。
【００２１】
下側板３の下面３ｂと上側板５の上面５ａとにそれぞれ滑り止め手段２５、２７を備えさせる。滑り止め手段２５、２７としては、例えばゴムシートを下側板３の下面３ｂと上側板５の上面５ａとにそれぞれ固着する。
【００２２】
以上の如き仏壇用免震装置における上側板５上に仏壇１を載置する。
【図面の簡単な説明】
【００２３】
【図１】本考案による仏壇用免震装置の一例を示す断面図である。
【図２】上側板の底面図である。
【図３】柱体とばねとを示す底面図である。
【図４】下側板の平面図である。
【符号の説明】
【００２４】
１  仏壇
３  下側板
３ａ  上面
３ｂ  下面
５  上側板
５ａ  上面
７  球状体
９  受け穴
１１  受け具
１３  柱体
１５  スペース
１７  蓋体
１９  ばね
１９ａ  一端
１９ｂ  他端
２１  筒状体
２３  支持体
２５  滑り止め手段
２７  滑り止め手段
【図１】
0003104636.tif 000003
【図２】
0003104636.tif 000004
【図３】
0003104636.tif 000005
【図４】
0003104636.tif 000006
(57)【要約】【課題】  舌の上を１回若しくは２回程度のブラッシングでほぼ完全に舌苔を除去することができる舌ベラを提供する。【解決手段】  舌ベラは、その長手方向の両端部に手で保持するためのツマミ部と長手方向の中央部に舌苔を除去するためのヘラ部を備えている。その内、ヘラ部は厚さ０．７〜１．０ｍｍであり、長手方向に６０〜７０ｍｍの範囲で幅方向の端部の一方若しくは両方が曲線で形成されている曲線部を有している。そして、その曲線部の曲線は半径５０ｍｍ〜３００ｍｍの円の円弧の一部で構成され、さらに幅方向の最短距離は５ｍｍ以上とする。【選択図】    図１
0003104688.tif 000002
【実用新案登録請求の範囲】
【請求項１】
長手方向の両端部に指で掴むためのツマミ部と長手方向の中央部に舌苔を除去するためのヘラ部とを備え、  前記ヘラ部は厚さ０．７〜１．０ｍｍであり、長手方向に６０〜７０ｍｍの範囲で幅方向の端部の一方若しくは両方が曲線で形成されている曲線部を有し、  前記曲線部の前記曲線は半径５０ｍｍ〜３００ｍｍの円の円弧の一部で構成され、幅方向の最短距離が５ｍｍ以上であることを特徴とする舌ベラ。
【考案の詳細な説明】
【技術分野】
【０００１】  本考案は、人の舌の表面に生成される舌苔を除去することに利用し得る舌ベラに関する。
【背景技術】
【０００２】  従来より、人の舌の表面に生成される舌苔は、虫歯や口臭の原因となることが知られており、舌苔を積極的に取り除くが望ましいと言われている。この舌苔を積極的に取り除く手段として舌をブラッシングする方法があり、従来より平坦な板状の舌ブラシが考案されている。（たとえば、実用新案文献１参照）
【実用新案文献１】
実開平０２−１２１０１２号公報
【考案の開示】
【考案が解決しようとする課題】
【０００３】  ところで、人の舌の表面は、自然な状態においてはほぼ平坦であるが、舌ブラシを当てて表面を擦るような場合には、必然的に舌に力が入り、丸みを帯びた山形形状となる。したがって、従来の平坦な形状の舌ブラシでは、舌の中央部の舌苔については容易に除去できるが、舌の両端部に近い位置の舌苔は十分に除去できない。もし、両端部に近い位置の舌苔も除去しようとすると、舌ブラシが舌に当たる位置及び角度を試行錯誤しながら変えて、複数回のブラッシングが必要となる。複数回のブラッシングは、舌の表面に傷を付けやすくなり、健康上問題を生じる。【０００４】  本考案は、斯かる従来技術の問題を解決するためになされたものであり、舌の上を１回若しくは２回程度のブラッシングでほぼ完全に舌苔を除去することができる舌ベラを提供することを課題とする。
【課題を解決するための手段】
【０００５】  前述の課題を解決するために、本考案は、以下のような舌ベラを提供する。【０００６】  本考案の舌ベラは、その長手方向の両端部に手で保持するためのツマミ部と長手方向の中央部に舌苔を除去するためのヘラ部を備えている。【０００７】  その内、ヘラ部は厚さ０．７〜１．０ｍｍであり、長手方向に６０〜７０ｍｍの範囲で幅方向の端部の一方若しくは両方が曲線で形成されている曲線部を有している。そして、その曲線部の曲線は半径５０ｍｍ〜３００ｍｍの円の円弧の一部で構成され、さらに幅方向の最短距離が５ｍｍ以上であることを特徴とする。
【考案の効果】
【０００８】  本考案によれば、舌ベラを両手で保持して舌の表面に自然に当てた状態で、舌ベラが舌のほぼ全体の表面形状に沿うことができ、舌の上を１回若しくは２回程度のブラッシングでほぼ完全に舌苔を除去することができる。
【考案を実施するための最良の形態】
【０００９】  以下、添付図面を参照しつつ、本考案の一実施形態について説明する。【００１０】  図１は本実施形態に係る舌ベラ１の平面図を表し、図２は正面図を表している。本実施形態における舌ベラ１は、幅１０〜１２ｍｍ、長手方向の長さが１５０ｍｍ〜２００ｍｍ程度の大きさで、材質はポリエスチレン、テフロンなどの可塑性の材料で作られることが望ましい。指で摘むためのツマミ部２が長手方向の両端部の２ヶ所にある。ツマミ部２の寸法は、厚みが３〜５ｍｍ程度で、幅が１０〜１２ｍｍ程度、長さ２０〜３０ｍｍ程度であることが望ましい。ツマミ部２が長手方向の両端部に存在することにより、本実施形態に係る舌ベラ１は両手の指でしっかり保持することができ、後述のとおり、舌ベラ１を舌の表面に密着させることができる。また、ツマミ部２の表面に窪みを付けても良く、ツマミ部２が唾液等で濡れているような場合にも舌ベラ１を指でしっかり保持することができる。【００１１】  また、本実施形態における舌ベラ１は、長手方向の中央部に舌苔を除去するためのヘラ部３を有する。このヘラ部３は厚さ０．７〜１．０ｍｍであり、中央部に幅方向の端部が曲線５で形成されている曲線部４を有する。曲線部３の長手方向の長さは６０〜７０ｍｍで、曲線部４の曲線５は、半径５０ｍｍ〜３００ｍｍの円の円弧の一部で構成されている。さらに、曲線部４の幅方向の最短距離は、５ｍｍ以上必要である。このような構造にすることによって、ツマミ部２を両手で掴んで舌ベラ１を舌の表面に当てた場合に、ヘラ部３を舌の表面全体に沿わせることができる。【００１２】  ヘラ部３の厚みが０．７ｍｍ未満の場合、ヘラ部３の剛性が不足するために、舌をブラッシングする際に舌ベラ１を舌の表面に適切に密着し続けることが難しい。一方、ヘラ部３の厚みが大きくなるにつれて、舌ベラ１の全体の剛性が高くなるが、厚みが大きすぎると非力な人の力では取扱い難くなる。ヘラ部３の厚みは、最大１．０ｍｍまでが望ましい。【００１３】  ヘラ部３が曲線部４を有することにより、ブラッシングの際にヘラ部２が舌の表面形状に自然に沿わすことができ、舌ベラ１が舌に当たる角度について特段の注意を要することなく、効率的に舌苔の除去が可能となる。日本人の成年男女の舌の平均的な幅と表面形状を考慮すると、曲線部４の形状は、長手方向に長さ６０〜７０ｍｍ程度で、曲線５は半径５０ｍｍ〜３００ｍｍの円の円弧の一部で構成することが望ましい。曲線部４の曲線５をこのような形状にすることにより、舌ベラ１を自然に舌の上に当てるだけで、自由自在にヘラ部３を舌の表面に沿わせて密着させることができる。【００１４】  ところで、曲線５は、曲線部４の幅方向の一方の端部のみでも良く、両端部にあっても良い。舌ベラ１が曲線部４を有することにより、使用時に湾曲しても、特定の部位での応力集中が発生せず、破損を防止することができる。なお、破損を防止するためにも、曲線部４の幅方向の最短距離は、５ｍｍ以上とすることが必要である。
【図面の簡単な説明】
【００１５】
【図１】図１は、本考案に係る舌ベラの平面図である。
【図２】図２は、方向案に係る舌ベラの正面図である。
【符号の説明】
【００１６】  １…舌ベラ  ２…ツマミ部  ３…ヘラ部  ４…曲線部  ５…曲線
【図１】
0003104688.tif 000003
【図２】
0003104688.tif 000004
(57)【要約】【課題】  一般的な面取りカッターは、刃の磨耗度も大きく、面粗度を上げる為に頻繁に刃具を交換しなければならず、効率が悪い。そこで、本考案は、上記に示した問題点を解消し、ワークの面粗度を向上させ、刃部の切刃の寿命の大幅な向上を図ることができるカッターを提供することにある。【解決手段】  ６枚の任意の角度を持ったテーパー状の切刃から構成されるカッターであって、それぞれ３枚の片刃が正面から見て、３０°ずつ間隔を開けて配置された切刃を持たせることを要旨とする。【選択図】  図１
0003104686.tif 000002
【実用新案登録請求の範囲】
【請求項１】
６枚の任意の角度を持ったテーパー状の切刃から構成されるカッターであって、それぞれ３枚の片刃が正面から見て、３０°ずつ間隔を開けて配置された切刃を持つカッター。
【考案の詳細な説明】
【技術分野】
【０００１】  本考案は、面取り加工に供されるカッターに関するものである。
【背景技術】
【０００２】  従来の面取り加工に使用される面取りカッターは、バッキング刃付けがなされた１枚刃若しくは、３枚刃で構成されている。これは、共振を防ぐという技術であるが、面粗度に関しては、なかなか良い結果は得られない。さらに、刃の磨耗度も大きく寿命も短い。また、バッキング機構を持った特殊な研磨機を使用して再研磨しなければならないと言った面もある。また、エンドミル形状の面取りカッターは、等間隔に配置された２枚刃、４枚刃で構成されているが、共振現象によりビビリが発生しやすく更に欠けやすいと言った問題点がある。
【考案の開示】
【考案が解決しようとする課題】
【０００３】  上記に示した一般的な面取りカッターは、刃の磨耗度も大きく、面粗度を上げる為に頻繁に刃具を交換しなければならず、効率が悪い。そこで、本考案は、上記に示した問題点を解消し、ワークの面粗度を向上させ、刃部の切刃の寿命の大幅な向上を図ることができるカッターを提供することにある。
【課題を解決するための手段】
【０００４】  上記した課題を解決するために、本考案の請求項１の考案は、６枚の任意の角度を持ったテーパー状の切刃から構成されるカッターであって、それぞれ３枚の片刃が正面から見て、３０°ずつ間隔を開けて配置された切刃を持たせることを要旨とする。
【考案の効果】
【０００５】  前記で示した刃の形状にすると、ビビリは減少し、結果、ワークの面粗度が向上する。また、多刃のため切刃にかかる切削抵抗は分散され、結果、刃部の切刃の寿命の大幅な向上を図ることができる。
【考案を実施するための最良の形態】
【０００６】  以下、本考案の実施の形態について説明する。実施の形態を、図１、図２に従って説明すると、図１はカッターを正面から見たものである。図２は側面から見たものである。【０００７】  カッターの形状は、６枚の任意の角度を持ったテーパー状の切刃から構成されるカッターであって、それぞれ３枚の片刃が正面から見て、３０°ずつ間隔を開けて配置された切刃を持たせる。
【図面の簡単な説明】
【０００８】
【図１】  カッターの正面図
【図２】  カッターの側面図
【符号の説明】
【０００９】１ａ    第１の切刃
２ｂ    第２の切刃
３ｃ    第３の切刃
４ｄ    第４の切刃
５ｅ    第５の切刃
６ｆ    第６の切刃
７ｇ    カッター本体
α°    任意の角度
【図１】
0003104686.tif 000003
【図２】
0003104686.tif 000004
(57)【要約】      （修正有）【課題】資材の大きさ、形状に合わせた結束固定は、１人の作業員により充分な張設が可能となり、土木・建築用シートの結束固定張設は、シート中間部のバタツキを押さえる副資材（ロープ、板材、パイプ等）の必要もなく短時間で終えることができる。【解決手段】緊張結束用ロープ附帯の土木・建築用シートの本体１には、結束用縦ロープＹ、結束用縦横ロープＸが複数本敷設され、結束用ロープはシート本体と一体となっており、縦横の結束用ロープはシートと同一素材、同色であり、補強と緊結を目的としロープ状に加工されており、縦横結束用ロープは、いずれも、緊結のためシート端から５００ｍｍ程度伸す。【選択図】図１
0003104690.tif 000002
【実用新案登録請求の範囲】
【請求項１】
土木・建築用シートに、シートと同一素材で作られた正方形を基本とする網目状のロープ体は、熱圧着によりシートに敷設され、結束用ロープとして機能し、ロープの引張結束により、シートの緊張を獲得し、柔軟で確実な張設を行うと同時に、シート自体の強度を増すことができることを特徴とする土木・建築用シート。
【考案の詳細な説明】
【技術分野】
【０００１】本考案は、土木・建築用シート（通称：ブルーシート）に緊張結束用ロープを附属させた一体構造であり、特に、土木工事、建築工事の作業現場において、雨や雪よけ等を目的とし、資材の保護、及び現場の養生のために張設する、緊張結束用ロープ附帯の土木・建築用シートに関するものである。
【背景技術】
【０００２】従来、土木・建築用シートは、新たに器具を用いる等、例えば特開平９−３２８９３３号、特開２００３−１３８７５５号に示されているが、新たなシート緊張材の購入等、事業者側への新たなる負担が増え、また固定・締め付け方法も均一ではなく問題がある。
【考案の開示】
【考案が解決しようとする課題】
【０００３】土木・建築用シートの張設に際し、前述の課題を解決するため、種々の提案がなされているが、例えば土木・建築用シートの縦・横各々の方向から伸張するひも・ロープ等を用い、土木工事、建築工事の作業現場において、資材の保護、及び現場の養生のために張設されているが、全てには効果を上げていないなど欠点がある。【０００４】一方、土木・建築用シートの緊結部分が弱く破損し易い上、シート自体の強度が不足しているため裂けてしまい、風により吹き飛ばされるなど、付近の住民や家屋、現場作業員に危険を及ぼすなど、土木工事、建築工事の作業現場では維持管理において問題となっています。前述の、土木・建築用シートの縦・横各々の方向から、周囲部分だけの緊張材による緊結方法においては、ただ資材や養生面をシートの張設により維持、保護だけに留まりその効果が期待できない。【０００５】また、従来、土木・建築用シートは別に用意する、結束用ロープなどを用い、資材や養生面を被うため、不均一な方法ではあるが固定結束する方法がとられていた。しかし、資材の大きさ、凹凸形状に合わせた結束固定は、どうしても不安定であり、シートの張設にも多くの労力を必要とし、しかもシートの収納に際し別なロープを必要とする。また結束用ロープの敷設及び取扱いが作業員によりバラツキがあり、資材置き場、養生面に張設するシートの監視は悪天候の際、シートとロープの張設維持に特に注意する必要性が高く、しかも、土木・建築用シートの張設状況は中間部が結束用ロープで固定できず、シート外周部の緊結のみとなるため、強風時シートが浮き上がりシートの損傷及びバタツキ音により周囲に騒音公害を発生させるなどの問題がある。
【課題を解決するための手段】
【０００６】前記課題を解決するため、本考案に係る緊張結束用ロープ附帯の土木・建築用シートの本体には、結束用縦ロープＹ、横ロープＸは正方形の網目状にロープ体を形成し、シート１に熱圧着により敷設されており、縦横複数本のロープ端はいずれも、緊結のためシートから５００ｍｍ程度伸してある。【０００７】また、縦横の結束用ロープはシートと同一素材、同色であり、補強と緊結を目的としロープ状に加工し、シートに熱圧着し一体化している事を特徴とする。【０００８】既存シートにおいて中間部に補強がないのに較べ、各ロープで囲まれたシート部分の面積が小さいため破れずらくなっている。
【考案の効果】
【０００９】本考案によると、資材の大きさ、形状に合わせた結束固定は、１人の作業員により充分な張設が可能となり、土木・建築用シートの結束固定張設は、シート中間部のバタツキを押さえる副資材（ロープ、板材、パイプ等）の必要もなく短時間で終えることができる。【００１０】また、シートの撤収に際しても、短時間で僅かの労力で完了でき、しかもシートの収納に際し、折りたたんだ後の片付けが容易となり、また結束用ロープの敷設及び取扱いが、簡易になった。【００１１】また、資材置き場、養生面に張設するシートの維持は悪天候の際でも、バタつきは極めて少なくなり、しかも、土木・建築用シートの張設状況が良好なため、シートの損傷が少ないので景観を損ねることがなく、街の美観にも影響を与えない効果を獲得できた。
【考案を実施するための最良の形態】
【実施例】
【００１２】以下、本考案の実施形態を図を参照して説明する。図１には、本考案に係る緊張結束用ロープ附帯の土木・建築用シートの全体を図で示されており、結束用縦ロープＹ及び横ロープＸがシート１と一体となった状態であることを示すものである。【００１３】また、本考案シートの、結束用縦ロープＹ及び横ロープＸが熱圧着され敷設した状態を示すのが図２であり、図２におけるＡ−Ｂ間の断面を説明するのが、図３であり、結束用縦ロープＹと横ロープＸが一体化している状態を示す。【００１４】本考案に係る緊張結束用ロープ附帯の土木・建築用シートが建築用資材等に張設した状態を示すのが図４であるが、結束用縦ロープＹ及び横ロープＸが、シート１張設の際、建築資材１３の形状及び量に影響を受けず、建築資材等を雨や雪から防護し、風によるバタつきを防ぎ、確実なシートの張設を可能とした。
【産業上の利用可能性】
【００１５】本考案における、緊張結束用ロープ附帯の土木・建築用シートは構造がシンプルであるため、風雪雨や過酷な条件下でも耐久性があり、安価なコストにより土木工事及び建築工事現場における、資材及び養生面の保護維持が確実に実現できる。
【図面の簡単な説明】
【００１６】
【図１】本考案、土木・建築用シート全体を示す図である。
【図２】結束用縦横ロープがシートに熱圧着敷設され一体化した構造を示す部分図である。
【図３】図２中の縦横ロープ交差部Ａ−Ｂ間の断面図である。
【図４】建設現場で資材を被う、本考案、土木・建築用シート。
【符号の説明】
【００１７】１    土木・建築用シート
２    シートに熱圧着された結束用ロープの敷設部分
１１  縦ロープの結束状態
１２  横ロープの結束状態
１３  建築用資材
Ａ    縦横ロープ交差部断面線起点
Ｂ    縦横ロープ交差部断面線終点
Ｘ    結束用横ロープ
Ｙ    結束用縦ロープ
【図１】
0003104690.tif 000003
【図２】
0003104690.tif 000004
【図３】
0003104690.tif 000005
【図４】
0003104690.tif 000006
(57)【要約】      （修正有）【課題】防犯錠を掛けながら、かがみ込んで操作することなく扉を少し開いて通風できまた廊下から見て、ぞうり等が半分出ていたりして見苦しいのが無くなった。【解決手段】ホルダー玄関扉取付板１を扉に操作しやすい高さに片面を両面テープあるいはビス等で固定しておき使用する時は、蝶番でつながった防犯レバー用ストッパー２を広げて扉枠の額縁にあてがうことによって簡単に隙間を作り換気、通風が出来る。使用しない時は折りたたんでおく。【選択図】図４
0003104689.tif 000002
【実用新案登録請求の範囲】
【請求項１】
玄関扉の防犯錠を掛けておいて扉を少し強制に開け換気、通風の出来る２枚合せの折畳み式ホルダー。
【考案の詳細な説明】
【考案の詳細な説明】
【考案が解決しようとする課題】
【０００１】従来は防犯錠を掛けておいて、ぞうり、靴、小石等を扉と扉枠に挟んで隙間を作り換気、通風してた。その都度、挟む物を探し、取り外す時は挟んだ高さによってかがみ込んだりして面倒だった。また廊下から見て、ぞうり等が半分出ていたりして見苦しかった。
【課題を解決するための手段】
【０００２】このホルダーを扉に操作しやすい高さに片面を両面テープあるいはビス等で固定しておき使用する時は、蝶番でつながった別の片面を広げて扉枠の額縁にあてがうことによって簡単に隙間を作り換気、通風が出来る。使用しない時はその片面を折りたたんでおく。
【考案の効果】
【０００３】防犯錠を掛けながら、かがみ込んで操作することなく扉を少し開いて通風できまた廊下から見て、ぞうり等が半分出ていたりして見苦しいのが無くなった。使用しない時はその片面を折りたたんでおけば玄関扉は通常に使える。
【図面の簡単な説明】
【図１】ホルダーの平面図である。
【図２】ホルダーの正面図である。
【図３】ホルダーの右側面図である。
【図４】使用時ストッパーを広げた状態の図面である。広げた場合９０°より少し大きい角度で止るようにする。
【図５】既設玄関扉の防犯レバーの場合の取付け状態を示す参考図面である。
【図６】既設玄関扉の防犯チェーンの場合の取付け状態を示す参考図面である。
【符号の説明】
▲１▼ホルダー玄関扉取付け板
▲２▼防犯レバー用ストッパー
▲３▼防犯チェーン用ストッパー
▲４▼蝶番
【図１】
0003104689.tif 000003
【図２】
0003104689.tif 000004
【図３】
0003104689.tif 000005
【図４】
0003104689.tif 000006
【図５】
0003104689.tif 000007
【図６】
0003104689.tif 000008
(57)【要約】【課題】  場所を選ぶことなく使用できるクリスマス用デコレーションライトを提供する。【解決手段】  デコレーションライト１、制御ボックス２、差込装置３、および電気供給装置４から構成され、電気供給装置４は差込装置３およびデコレーションライト１に連接し、この差込装置３は簡単に電気供給装置４およびデコレーションライト１にそれぞれ連接して繋がり、デコレーションライト１は一般のプラグ４１もしくは電池を選択して連接することを特徴とするクリスマス用デコレーションライトである。【選択図】    図２
0003104425.tif 000002
【実用新案登録請求の範囲】
【請求項１】
デコレーションライトおよび電気供給装置を備え、電気コードに連接されるクリスマス用デコレーションライトにおいて、
電気供給装置は差込装置およびデコレーションライトに連接し、変圧器であって交流電気のプラグであることを特徴とするクリスマス用デコレーションライト。
【請求項２】
前記電気供給装置は、電池を入れる電池ボックスであることを特徴とする請求項１に記載のクリスマス用デコレーションライト。
【請求項３】
前記差込装置は、プラグおよびそれに対応するコンセントから構成され、プラグおよびコンセントは外接コードがそれぞれデコレーションライトおよび電気供給装置に連接されていることを特徴とする請求項１記載のクリスマス用デコレーションライト。
【請求項４】
前記デコレーションライトと前記差込装置との間に、デコレーションライトの点滅を制御する制御ボックスが設置されていることを特徴とする請求項１記載のクリスマス用デコレーションライト。
【考案の詳細な説明】
【技術分野】
【０００１】
本考案は、クリスマス用デコレーションライトに関するものである。
【背景技術】
【０００２】
従来のクリスマス用デコレーションライトは通常交流電気を電源として使用されており、電源を供給するコンセントもしくは固定された電源の下で使用される。しかし、電源まで遠かったり停電したりした場合は使用することができず、一定の制限を受け不便である。
【考案の開示】
【考案が解決しようとする課題】
【０００３】
上記より、解決しようとする問題点は電源から遠かったり停電したりすると使用できない点である。
よって本考案の目的は、場所を選ぶことなく使用できるクリスマス用デコレーションライトを提供することである。
【課題を解決するための手段】
【０００４】
本考案は、デコレーションライト、制御ボックス、差込装置、および電気供給装置から構成される。本考案の電気供給装置は差込装置およびデコレーションライトに連接し、この差込装置は簡単に電気供給装置およびデコレーションライトにそれぞれ連接して繋がる。そのため、デコレーションライトは一般のプラグもしくは電池を選択して連接することを最も主要な特徴とする。
【考案を実施するための最良の形態】
【０００５】
（第一実施例）
図２に示すのは、本考案の第一実施例によるクリスマス用デコレーションライトであり、本実施例はデコレーションライト１、制御ボックス２、差込装置３および電気供給装置から構成される。
電気供給装置４は差込装置３を経てデコレーションライト１に連接する。電気供給装置４は変圧器でもあり、一般家庭で使用される交流電気のプラグ４１である。
【０００６】
図１に示すとおり、差込装置３はプラグ３１とそれに対応するコンセント３２とから構成される。プラグ３１およびコンセント３２はそれぞれデコレーションライト１および電気供給装置４に連接する。この差込装置はその他の差込構造にすることもでき、例として普通の三角プラグおよびコンセント構造がある。
【０００７】
デコレーションライトの鑑賞性を高めるため、デコレーションライト１と差込装置３との間に制御ボックス２を設置する。この制御ボックス２内にはライトのT４点滅を制御する回路板が設置される。使用時、デコレーションライトを電源に差し込み、制御ボックス２上の制御ボタン２１を押して、好みの点滅方式を選択する。
【０００８】
（第二実施例）
図３は本考案の第二実施例によるクリスマス用デコレーションライトで、本実施例は第一実施例と基本的に同じであるが、異なるのは電気供給装置４を乾電池にして電池ボックス４２を設置している点である。この電池は直接デコレーションライト１が必要とする低圧直流電気を送る。
本実施例を使用する時、ユーザーは差込装置３を適する電気供給装置（電池ボックス４２もしくは交流電気のプラグ４１）に差し込んで使用する。
【図面の簡単な説明】
【０００９】
【図１】本考案の第一実施例によるクリスマス用デコレーションライトの差込装置を示す分解斜視図である。
【図２】本考案の第一実施例によるクリスマス用デコレーションライトを示す外観斜視図である。
【図３】本考案の第二実施例によるクリスマス用デコレーションライトを示す外観斜視図である。
【符号の説明】
【００１０】
１  デコレーションライト、２  制御ボックス、２１  制御ボタン、３  差込装置、３１  プラグ、３２  コンセント、４  電気供給装置、４１  プラグ、４２  電池ボックス
【図１】
0003104425.tif 000003
【図２】
0003104425.tif 000004
【図３】
0003104425.tif 000005
(57)【要約】      （修正有）【課題】吊り下げ電灯器具の傘取付はネジ締めなどの技能を要するのに対し工具などなしに容易に取り付けることを可能にした傘止め金具装置を提供する。【解決手段】吊り下げ電灯器具ソケット１に電灯傘２を入れ、次に金具３を下から取り付ける。【選択図】図１
0003104421.tif 000002
【実用新案登録請求の範囲】
【請求項１】
吊り下げ電灯器具ソケット▲１▼に傘▲２▼を組み込むために、止め金具▲３▼のスプリング形状▲４▼を形成した金具を下から入れソケット▲５▼の凸部に引掛け取付が出来ることを特徴とする止め金具装置。
【考案の詳細な説明】
【考案の詳細な説明】
【技術分野】
【０００１】  本考案は、バネ性のある金具を加工した止め金具で容易にソケットに傘を取付られる止め金具。
【背景技術】
【０００２】  従来の傘止めはネジ込み、ネジ止めなどで固定する方法が主体となっている。
【考案が解決しようとする課題】
【０００３】  従来の方法は、工具が使用可能な、ある程度の技能を要する必要があった。
【０００４】  本考案は、工具なしで技能がなくても容易に組立が出来ることを目的としている。
【課題を解決するための手段】
【０００５】  上記目的を可能にするために、固定金具の中央部にスプリング性のある数枚の板状の形を形成し、金具を下から入れ簡単に取付出来るようにた。
【考案を実施するための最良の形態】
【０００６】  固定金具の上に傘が乗り固定金具スプリングの下方先端でソケットの凸部に当たり電球傘が固定される。
【実施例】
【０００７】  実施例について図面を参照して説明すると、〔図１〕において、ソケット▲１▼の電球のない状態で傘▲２▼をソケットに入れ、次に
【２図】
金具▲４▼を
【１図】
▲３▼のように入れて取り付けることにより、ソケット部▲５▼の凸部位置でバネ状の金具先端が引っかかり固定し、その後に電球を取り付ける。
【考案の効果】
【０００８】  本考案の金具を使用することにより、工具などを必要とせず容易に吊り下げ電気器具のソケットに傘を取り付けることが出来る。
【図面の簡単な説明】
【図１】  この図面は、吊り下げ電灯器具の傘取付装置図と取付金具図を示す。
【図２】  今考案の取付金具のみの図面を示す。
【図１】
0003104421.tif 000003
【図２】
0003104421.tif 000004
(57)【要約】      （修正有）【課題】入浴剤や、室内スプレー用に簡便で用いやすい形のヒバ材を提供する。天然抗菌ヒバ材の有効成分は知られているが、この様な簡便にして、有効的に用いたものはない。【解決手段】天然抗菌ヒバ材１を大鋸屑状にして、水に溶けない紙袋２に入れ封３をする。大鋸屑状にしたことで、成分を充分に引き出すことができ、水に溶けない紙袋に入れたことで、扱い易いものとなる。これを入浴剤として、風呂の中に入れると、今まで治らなかった水虫やアレルギー疾患、アトピー性皮膚炎等に効き、煮沸して冷却後スプレーで散布すると、Ｏ１５７等の食中毒の予防や、室内に散布すると、ゴキブリ、白アリ、南京虫、ダニ等を駆除でき、又、化学的薬品と異なり人体に優しく、何人にも有害なことはない。【選択図】図１
0003104408.tif 000002
【実用新案登録請求の範囲】
【請求項１】
天然抗菌ヒバ材を大鋸屑状とし、水に溶けない紙製の袋に入れて封をした、天然抗菌ヒバ材封入紙袋体。
【考案の詳細な説明】
【技術分野】
【０００１】
本考案は、ヒバ材封入紙袋体である。
【背景技術】
【０００２】
本考案は、ヒバ材を鋸屑として、紙製の袋詰めにしたものであり、健康に良く、殺菌性のあるヒバ材を大鋸屑として用いたものである。以前より、ヒバ材は天然抗菌有効成分が含有されているが、この様な用い方で用いたものは今迄ない。。
【特許文献１】特記すべき先行文献なし。
【非特許文献１】天然ヒバ抗菌より抽出したヒノキチオール等は、種々宣伝、販売されているが本考案の様な用い方のものは過去にない。
【考案の開示】
【考案が解決しようとする課題】
【０００３】
本考案は、ヒバ材の大鋸屑を紙製の袋詰めとして用いて、種々の有効成分効果を得るものである。
【課題を解決するための手段】
【０００４】
本考案は天然ヒバ材を大鋸屑状とし、水に溶けない紙製の袋に入れて封をした、ヒバ材封入紙袋体である。
【考案の効果】
【０００５】
入浴剤として用いると、一般入浴剤で効果のない水虫、アレルギー疾患、アトピー性皮膚炎等にも効く。熱湯煮沸冷却水をスプレーで散布すると、病原性大腸菌Ｏ１５７等の集団食中毒の予防となる。
【０００６】
熱湯煮沸冷却水を液体スプレーで室内に散布すると、害虫を駆除することができる。
【０００７】
又、冷却水をスプレー散布する場所は、玄関、応接間、寝室、台所、戸棚、下駄箱、靴、車等に用い、使い捨てで廃棄すると、農地、土壌改良に良い。天然ヒバ抗菌有効成分は化学薬品と全く異なり、人体に優しく害が無く安心して使用でき家畜の踏みワラに混ぜ合わせると良い。
【考案を実施するための最良の形態】
【０００８】
特に青森県の天然ヒバ材１を大鋸屑状とし、水に溶けない紙製の袋２に入れ封３をする。
【０００９】
考案者は、アオモリヒバの切り株により作られた鉋屑で用いようと試したが、ヘキサン抽出物、クロロホルム抽出物、メタノール抽出物が倍以上、大鋸屑の方が多いことが分かった。９．８キログラムの中、４０４．６グラムのヘキサン、３５３．４グラムのクロロホルム、３７５．０グラムのメタノールを含む。１キログラムには、ヘキサン４１．２グラム、クロロホルム３６．１グラム、メタノール３８．３グラムが含まれる。
【００１０】
この天然ヒバ材を大鋸屑（オガクズ）として、水に溶けない紙袋にいれ、封をする。これを浴槽に３個か４個投入すると、４週間は入浴剤として有効に使用できる。
【００１１】
又、これを鍋容器に１００グラム入りのを２個入れ、２５分煮沸する。これを冷却して液体にして、スプレー散布を行うと、カゼ、Ｏ１５７集団食中毒防止となり、白アリ、南京虫、ゴキブリ、ノミ、ダニを駆除する。又、スプレー散布により頑固な水虫が治る。
【００１２】
天然ヒバ材は、ヒノキチオール、Ｂ−ドラグリン、Ｒ−ソヤプリシン等を含み、極めて高い抗菌力がある。
【産業上の利用可能性】
【００１３】
本考案は極めて良質な天然ヒバ有効成分として、入浴剤、冷却後スプレーとして広く用いられる可能性大である。
【図面の簡単な説明】
【００１４】
【図１】断面図である。
【符号の説明】
【００１５】
１  天然ヒバ材
２  紙製の袋
３  封
【図１】
0003104408.tif 000003
(57)【要約】      （修正有）【課題】使用後の石鹸につけた水分を快速に乾す中空の石鹸用石鹸掛けを提供する。【解決手段】壁に設けられるベース２１を有し、その一端に上方へ開口する掛け凹部２３を有する湾曲状の掛けフック２２が設けられることを特徴とする。【選択図】図１
0003104467.tif 000002
【実用新案登録請求の範囲】
【請求項１】
壁に設けられるベースを有し、その一端に上方へ開口する掛け凹部を有する湾曲状の掛けフックが設けられることを特徴とする中空の石鹸用石鹸掛け。
【請求項２】
前記掛けフックの掛け凹部に中央の掛け孔を有する石鹸が掛けられることを特徴とする請求項１に記載の中空の石鹸用石鹸掛け。
【考案の詳細な説明】
【技術分野】
【０００１】
本考案は、特に使用後の石鹸につけた水分を快速に乾す中空の石鹸用石鹸掛けに関するものである。
【背景技術】
【０００２】
従来の石鹸入れはボックス本体（３０）を有すると共に、上側に石鹸（３２）を収容する収容部（３１）が設けられる。石鹸（３２）を石鹸入れの収容部（３１）から取り出すことができる、又は使用後の石鹸（３２）を該石鹸入れの収容部（３１）に置き込むことにより、該石鹸（３２）を収容する（図３及び図４参照）。
【考案の開示】
【考案が解決しようとする課題】
【０００３】
しかしながら、上記の石鹸入れにおいて、使用後の石鹸（３２）の底面が石鹸入れの収容部（３１）と密接し、使用後の石鹸（３２）の表面につけた水分を十分に乾すことができないので、石鹸（３２）の損耗は大きい、且つ石鹸（３２）全体の硬さは柔らかくなってしまう。
【０００４】
そこで、案出されたのが本考案であって、使用後の石鹸につけた水分を快速に乾す中空の石鹸用石鹸掛けを提供することを目的としている。
【課題を解決するための手段】
【０００５】
本願の請求項１の考案は、壁に設けられるベースを有し、その一端に上方へ開口する掛け凹部を有する湾曲状の掛けフックが設けられることを特徴とする中空の石鹸用石鹸掛け及び、
本願の請求項２の考案は、前記掛けフックの掛け凹部に中央の掛け孔を有する石鹸が掛けられることを特徴とする請求項１に記載の中空の石鹸用石鹸掛け、を提供する。
【考案の効果】
【０００６】
本考案は上記の課題を解決するものであり、中空の石鹸の掛け孔によって該石鹸を石鹸掛けにおける掛けフックの掛け凹部に掛けるだけで、石鹸を空気と十分に接触させることにより、石鹸の表面につけた水分を快速に揮発することができる。
【考案を実施するための最良の形態】
【０００７】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【０００８】
図１は本考案に係る中空の石鹸用石鹸掛け及び中空の石鹸を示す分解斜視図であり、図２は本考案に係る中空の石鹸用石鹸掛け及び中空の石鹸を示す斜視図である。
【０００９】
図１及び図２に示すように、本考案に係る中空の石鹸用石鹸掛け（２０）は中央に掛け孔（１１）を有する中空の石鹸（１０）に専用するものである。該石鹸掛け（２０）は壁に設けられることができるベース（２１）を有し、その一端に上方へ開口する掛け凹部（２３）を有する湾曲状の掛けフック（２２）が設けられる。
【００１０】
前記中空の石鹸（１０）を使用する方法は従来と等しいため、詳細な説明を省略する。該中空の石鹸（１０）を使用した後、掛け孔（１１）によって該石鹸（１０）を石鹸掛け（２０）における掛けフック（２２）の掛け凹部（２３）に掛けるだけで、石鹸（１０）を空気と十分に接触させることができるので、石鹸（１０）の表面につけた水分を快速に揮発することができる。
【００１１】
又、本考案に係る中空の石鹸用石鹸掛け（２０）のベース（２１）は吸盤やネジなどの固定工具によって壁に設置することができる。
【産業上の利用可能性】
【００１２】
本考案は上記の構成を有するので、中空の石鹸の掛け孔によって該石鹸を石鹸掛けにおける掛けフックの掛け凹部に掛けるだけで、石鹸を空気と十分に接触させることにより、石鹸の表面につけた水分を快速に揮発することができる。
【図面の簡単な説明】
【００１３】
【図１】本考案に係る中空の石鹸用石鹸掛け及び中空の石鹸を示す分解斜視図である。
【図２】本考案に係る中空の石鹸用石鹸掛け及び中空の石鹸を示す斜視図である。
【図３】従来の石鹸入れ及び石鹸を示す分解斜視図である。
【図４】従来の石鹸入れ及び石鹸を示す斜視図である。
【符号の説明】
【００１４】
１０        石鹸
１１        掛け孔
２０        石鹸掛け
２１        ベース
２２        掛けフック
２３        掛け凹部
３０        ボックス本体
３１        収容部
３２        石鹸
【図１】
0003104467.tif 000003
【図２】
0003104467.tif 000004
【図３】
0003104467.tif 000005
【図４】
0003104467.tif 000006
(57)【要約】      （修正有）【課題】座席に座る時、膝と膝の間が開かないようにする為の膝リングを提供する。【解決手段】厚さ０．２mm,中２．５cm,長さ５５cmの透明なストラップにワンタッチで着脱できるフックをつけ、又フックアジャスターで膝の太さに対応ができるようにする。【選択図】図１
0003104500.tif 000002
【実用新案登録請求の範囲】
【請求項１】
人間は座れば自然に股が開くが、股を閉じないと道徳上良くないとされているので、膝の開きを防ぐものが膝リングである。アジャスターが付いているので、どんな足の太さにも対応出来、バックルで簡単に装着できる。長時間使用していても膝が痛まない様にソフトなストラップを使用した。混雑した電車の中でも、緊張した場所でも着用すれば、楽に美しい足の姿勢は保てる。使い終わったら小さく折りたたんでバッグにしまえるので持ち歩きやすい。足を組むことは腰にはとても悪いので、それを解決できるのがこの膝リングの特徴である。
【考案の詳細な説明】
【技術分野】
【０００１】本考案は座席に座る時、膝と膝の間が開かないようにする為に止める透明なストラップである。簡単にフックで止められ、アジャスターで足の太さに調節できる。
【背景技術】
【０００２】混んだ電車の中で足を組んで座ることは道徳に反すると思うと余程の気力で股を閉めていないと人間の自然現象で股は開き、あられもないお行儀の悪さを露呈し、夢から覚めた時は時遅しは必然的で、その悩みを解決することを全世界の女性は希望している。
【考案の開示】
【考案が解決しようとする課題】
【０００３】本考案は座席に座る度に股が開くので、その羞恥心を解決するものである。だらしなく座る女性が増えているので美しく座る習慣をつけるひとつのツールになる。
【課題を解決する為の手段】
【０００４】本考案は座る度に股の広がりを防ぐ為には、公衆の面前で装着するので透明であまり目立たなく、それでいて装着していて美くしく長時間装着していても膝が痛ます使用後は小さくしてバッグにすぐしまえるものである。いつも持ち運びをするので軽いもので、自分の足の太さに調節可能、混んだ電車で足を組めなくともこの膝リングを使えば安心して、居眠りも出来て恥じをかくことがなくなる。
【考案の効果】
【０００５】本考案の効果は、全世界の女性が使用してみて座る度に安心出来、足をきちっと揃えて何時間でもいられる効果と足を組むことは腰に大変悪い影響を与えることから腰の為にも良い効果が得られ、同時に男性の目もシャットアウトできる効果もある。
【考案を実施する為の最良の形態】
【０００６】膝にフィットさせる為にアジャスターを使って足の太さに長さを変化させることが出来る面前で装着脱するので余り目立たない透明なもので美くしくストッキングにひっかからない滑らかでソフトなもので、すぐ装着脱出来て長時間装着しても足が痛まないもの、ハンドバックから出し入れするので、軽量で折りたため、強度で、水洗い可能なものが最良の形態。
【実施例】
【０００７】私の友人達何人かに話をしましたら、比較的上役の地位にある方々から早く本考案が欲しいとの要望がありました。
【産業上の利用可能性】
【０００８】日本のみならず全世界の女性に利用され、尚且つ喜ばれる可能性があると確信する。
【図面の簡単な説明】
【０００９】
【図１】  本考案の全体の平面図です。
【図２】  本考案の全体の断面図
【符号の説明】
【００１０】  １  透明ビニールのストラップの本体（長さ５５ｃｍ、幅２．５ｃｍ）
２  着脱の為の透明フック
３  足の太さにあわせて長さを調節出来るアジャスター
【図１】
0003104500.tif 000003
【図２】
0003104500.tif 000004
【手続補正書】
【提出日】平成16年4月15日(2004.4.15)
【手続補正１】
【補正対象書類名】実用新案登録請求の範囲
【補正対象項目名】全文
【補正方法】変更
【補正の内容】
【実用新案登録請求の範囲】
【請求項１】
膝の開きを防ぐ為の膝リングにおいて
（１）膝の開きを防ぐ為のストラップは一定の強度がないと伸びるので厚さを０．２ｍｍとした
（２）ストラップの巾は膝に食い込んだり延びたりしない為に２．５ｃｍ長さは５５ｃｍ
（３）人前で着脱するのでストラップは透明
（４）膝の上でワンタッチで着脱し易いようにストラップにフックをつけた、又フックのアジャスターを利用してどんな膝の太さにも対応が出来る
以上からなる膝リング
(57)【要約】【課題】  本考案は寺院や歴史的建造物の瓦の張替え時にでる旧瓦を再利用し数珠をつくることによる資源の有効利用と作られる数珠自体に歴史的な付加価値を持たせること。【解決手段】  過去に、瓦の張替え時にでて、保存してある旧瓦や今後でてくる旧瓦を再利用し数珠を作ることにより、資源の有効利用を、数珠には、長い間、歴史的な建造物を風雨から守ってきた瓦、それ自体が歴史的な建造物である瓦を利用することにより、数珠自体に歴史的な付加価値を持たせる。【選択図】  図１
0003104496.tif 000002
【実用新案登録請求の範囲】
【請求項１】
歴史的に重要な建造物の瓦を再利用して作る資源の有効活用の意味合いと歴史的付加価値を有す数珠。
【考案の詳細な説明】
【技術分野】
【０００１】  本考案は、歴史的建造物が瓦を張り替えた際に出る、旧瓦を利用して作る数珠に関するものである。
【背景技術】
【０００２】  寺院や国宝級の建造物では、保存のために瓦の張替えをした際、古い瓦を破棄してしまう場合と蔵に保存している場合がある。
【考案の開示】
【考案が解決しようとする課題】
【０００３】  歴史的建造物を何十年、何百年と風雨から守ってきた瓦を利用し、数珠を作ることで、資源の有効な再利用を計ると共に、作られた数珠には歴史的な付加価値を持たせる物である。
【課題を解決するための手段】
【０００４】  本考案は歴史的建造物の瓦の張替え時にでる旧瓦を再利用し数珠を作ることで資源の有効活用と数珠自体に歴史的な付加価値をつけることにより解決している。
【考案の効果】
【０００５】  上述の様に、本考案により古い瓦の再利用による資源の有効利用、再利用により作り出された数珠には、歴史的な付加価値を持つものとして効果がある。
【考案を実地するための最良の形態】
【０００６】  旧瓦を裁断、加工により数珠を作り、純度１００％に近い物で、品物自身には歴史的付加価値を強くしたものが最良である。しかし旧瓦の保存状態、数珠の形状によっては、旧瓦を粉砕し、樹脂や粘土等とブレンドすることで、純度は下がる代わりに幅広い対応が可能となる。
【実地例】
【０００７】  以下、添付図面に従って一実地例を説明する。１は旧瓦を裁断後加工し球状にしたもの、２は出来上がった球体に紐を通す為の貫通穴、この球体を連ね、数珠を作ることで、出来上がった数珠は、資源が有効活用されていると共に、品物自身には歴史的な付加価値をもった数珠となる。
【図面の簡単な説明】
【０００８】
【図１】本考案の瓦を再利用した数珠の一実地例を示す正面図である。
【図２】本考案の瓦を再利用した数珠の一実地例を示す上面図である。
【図３】本考案の瓦を再利用した数珠の一実地例を示す完成図である。
【符号の説明】
１  球体
２  貫通穴
【図１】
0003104496.tif 000003
【図２】
0003104496.tif 000004
【図３】
0003104496.tif 000005